(57)【要約】【課題】垂直方向に延びる折線を側壁に形成することなく、不使用時には折り畳むことができ、使用時には物品を収納することができ、椅子としても使用できる収納箱及び収納箱の連結体を提供する。【解決手段】基体５を、対向側面１０，１０及び底面１２を形成する可撓性シート体Ｓ，…と、対向側面１０，１０の外面下側に挿入開口１４，１４が形成されるように添設され、袋体１３，１３を形成する可撓性シート体Ｓ，Ｓと、矩形箱体２の対向側面１１，１１を形成する保形性板体Ｐ，Ｐとにより構成し、支持体７を、基体５の底面１２に外側から添う保形性板体Ｐである底板１５と、底板１５の一対辺に繋がる保形性板体Ｐ，Ｐである２枚の側板１７，１７とにより構成し、２枚の側板１７，１７を２箇所の挿入開口１４，１４にそれぞれ挿入することにより、基体５と支持体７とが一体化されて矩形箱体２になる。【選択図】図３
0003157991.tif 000002
【実用新案登録請求の範囲】
【請求項１】
上面が開口した矩形箱体及び該箱体の上面開口を塞ぐように外嵌される蓋体からなる収納箱又は上面が開口した矩形箱体からなる収納箱であって、
前記箱体を、上面が開口して使用時に箱状になる基体と、該基体に連結される支持体により構成し、
前記基体を、その一対の対向側面及び底面を形成する可撓性シート体と、前記一対の対向側面の外面下側に挿入開口が形成されるように添設され、袋体又は帯体を形成する可撓性シート体と、前記箱体の残りの一対の対向側面を形成する保形性板体とにより構成し、
前記支持体を、前記基体の底面に外側から添う保形性板体である底板と、該底板の一対辺に繋がり前記底板に対して前記一対辺に沿って相対的に折り曲げ可能な保形性板体である２枚の側板とにより構成し、
前記支持体の２枚の側板を前記基体の２箇所の挿入開口にそれぞれ挿入して前記支持体の側板を前記基体の可撓性シート体である側面に外側から添わせた状態で前記基体と前記支持体とが一体化されることを特徴とする収納箱。
【請求項２】
上面が開口した矩形箱体及び該箱体の上面開口を塞ぐように外嵌される蓋体からなる収納箱又は上面が開口した矩形箱体からなる収納箱であって、
前記箱体を、上面が開口して使用時に箱状になる基体と、該基体に連結される支持体により構成し、
前記基体を、その二対の対向側面及び底面を形成する可撓性シート体と、前記二対の対向側面の外面下側に挿入開口が形成されるように添設され、袋体又は帯体を形成する可撓性シート体とにより構成し、
前記支持体を、前記基体の底面に外側から添う保形性板体である底板と、該底板の二対辺に繋がり前記底板に対して前記二対辺に沿って相対的に折り曲げ可能な保形性板体である４枚の側板とにより構成し、
前記支持体の４枚の側板を前記基体の４箇所の挿入開口にそれぞれ挿入して前記支持体の側板を前記基体の可撓性シート体である側面に外側から添わせた状態で前記基体と前記支持体とが一体化されることを特徴とする収納箱。
【請求項３】
請求項１又は２記載の収納箱の複数を連結手段により連結してなる収納箱の連結体。
【請求項４】
前記連結手段が、前記袋体同士が当接した状態で隣接する基体の隣接する挿入開口の両方に挿入される折曲げ板体又はクリップ体である請求項３記載の収納箱の連結体。
【請求項５】
請求項１記載の収納箱の複数を連結手段により連結してなる収納箱の連結体であって、
前記連結手段が、前記支持体の前記側板が繋がっていない対辺の内側に取り付けられた面ファスナー体と、該面ファスナー体同士が隣接した状態でこれらに掛止される連結面ファスナー体とにより構成される収納箱の連結体。
【請求項６】
複数の上面が開口した基体及びこれらの基体に連結される支持体により構成される収納箱の連結体であって、
前記複数の基体のそれぞれを、その一対の対向側面及び底面を形成する可撓性シート体と、前記一対の対向側面の外面下側に挿入開口が形成されるように添設され、袋体又は帯体を形成する可撓性シート体と、前記箱体の残りの一対の対向側面を形成する保形性板体とにより構成し、これらの基体の保形性板体からなる側面同士を当接させた状態で連結されるものであり、前記支持体を、前記複数の基体の底面に外側から添う保形性板体である底板と、該底板の前記基体の連結方向の対辺に繋がり該対辺に沿って前記底板に対して相対的に折り曲げ可能であり、前記基体の挿入開口にそれぞれ挿入される保形性板体である側板とにより構成してなる収納箱の連結体。
【考案の詳細な説明】
【技術分野】
【０００１】
本考案は、不使用時には折り畳むことができ、使用時には物品を収納することができるとともに椅子としても使用できる収納箱の改良に関するものである。
【背景技術】
【０００２】
不使用時には折り畳んでスペース効率を高くして保管、運搬又は輸送することができ、使用時には物品を収納することができるとともに椅子（スツール）としても使用できる収納箱として、上面が開口した箱体の底面を軟性（可撓性）とし、箱体の側壁を剛性（保形性）とし、隣接する側壁間を相対的に折り曲げ可能にするとともに、二対の対向側壁の中の一方の対向側壁に垂直方向に延びる折線を形成し、箱体に内挿されて底面上に置かれる剛性の底板と、箱体の開口を覆う剛性の蓋体とを備えてなり、底板を箱体の底面上に置いた状態では箱体の側壁を折り畳み不能にして箱体内に物品を収納することができるとともに、蓋体により箱体の開口を覆った状態でその上に座ることができ、不使用時には蓋体及び底板を取り外した状態で箱体を平面視において鼓状に変形させて折り畳むことができるようにしたものがある（例えば、特許文献１参照。）。
【先行技術文献】
【特許文献】
【０００３】
【特許文献１】登録実用新案第３１２１０９６号公報
【考案の概要】
【考案が解決しようとする課題】
【０００４】
特許文献１のような収納箱は、箱体を折り畳み可能にするために底面を軟性（可撓性）にするとともに一方の対向側壁に折線を形成しており、物品を収納するスペースを確保しながら箱としての形態を保持するために底面上に底板を載置して構成される。
このような収納箱では、椅子として使用した際に荷重を受け持つ側壁に折線が形成されているとともに、底面上に載置される底板のみにより折線が形成された側壁の変形を規制する構成であることから、荷重が掛かった際に折線が形成された側壁の上部が内側に変形しやすいため、椅子として使用した際に不安定になる場合があるとともに、側壁に形成された折線が目視されるため見栄えが悪くなる。
【０００５】
そこで本考案が前述の状況に鑑み、解決しようとするところは、垂直方向に延びる折線を側壁に形成することなく、不使用時には折り畳むことができ、使用時には物品を収納することができ、椅子としても使用できる収納箱及び収納箱の連結体を提供する点にある。
【課題を解決するための手段】
【０００６】
本考案に係る収納箱は、前記課題解決のために、上面が開口した矩形箱体及び該箱体の上面開口を塞ぐように外嵌される蓋体からなる収納箱又は上面が開口した矩形箱体からなる収納箱であって、前記箱体を、上面が開口して使用時に箱状になる基体と、該基体に連結される支持体により構成し、前記基体を、その一対の対向側面及び底面を形成する可撓性シート体と、前記一対の対向側面の外面下側に挿入開口が形成されるように添設され、袋体又は帯体を形成する可撓性シート体と、前記箱体の残りの一対の対向側面を形成する保形性板体とにより構成し、前記支持体を、前記基体の底面に外側から添う保形性板体である底板と、該底板の一対辺に繋がり前記底板に対して前記一対辺に沿って相対的に折り曲げ可能な保形性板体である２枚の側板とにより構成し、前記支持体の２枚の側板を前記基体の２箇所の挿入開口にそれぞれ挿入して前記支持体の側板を前記基体の可撓性シート体である側面に外側から添わせた状態で前記基体と前記支持体とが一体化されることを特徴とする。
【０００７】
また、本考案に係る収納箱は、前記課題解決のために、上面が開口した矩形箱体及び該箱体の上面開口を塞ぐように外嵌される蓋体からなる収納箱又は上面が開口した矩形箱体からなる収納箱であって、前記箱体を、上面が開口して使用時に箱状になる基体と、該基体に連結される支持体により構成し、前記基体を、その二対の対向側面及び底面を形成する可撓性シート体と、前記二対の対向側面の外面下側に挿入開口が形成されるように添設され、袋体又は帯体を形成する可撓性シート体とにより構成し、前記支持体を、前記基体の底面に外側から添う保形性板体である底板と、該底板の二対辺に繋がり前記底板に対して前記二対辺に沿って相対的に折り曲げ可能な保形性板体である４枚の側板とにより構成し、前記支持体の４枚の側板を前記基体の４箇所の挿入開口にそれぞれ挿入して前記支持体の側板を前記基体の可撓性シート体である側面に外側から添わせた状態で前記基体と前記支持体とが一体化されることを特徴とする。
【０００８】
これらのような収納箱の構成によれば、矩形箱体の上面開口から物品を入れて収納することができるとともに、基体の挿入開口から支持体の側板を抜いて基体と支持体とを分離することにより、これらをそれぞれ折り畳んでスペース効率を高くして保管、運搬又は輸送することができる。
その上、上面が開口した矩形箱体及び該箱体の上面開口を塞ぐように外嵌される蓋体からなる収納箱では、該収納箱内に物品を収納した状態で蓋体上に腰掛けて椅子として使用することができ、蓋体を備えない前記矩形箱体のみからなる収納箱では、収納物品を取り出して上下を逆にすることにより、支持体の底板上に腰掛けて椅子として使用することができる。
その上さらに、基体の挿入開口へ支持体の側板を挿入した状態で、基体と支持体とが一体化して矩形箱体となり、該矩形箱体の側壁は基体又は支持体の保形性板体により形成されており、椅子として使用した際に荷重を受け持つ側壁に特許文献１のような垂直方向に延びる折線が形成されていないことから、側壁が変形しにくく矩形箱体がより強固なものとなるため、椅子として使用した際にも不安定になることがない。
【０００９】
本考案に係る収納箱の連結体は、前記収納箱の複数を連結手段により連結してなるものである。
ここで、前記連結手段が、前記袋体同士が当接した状態で隣接する基体の隣接する挿入開口の両方に挿入される折曲げ板体又はクリップ体であると好ましい。
また、本考案に係る収納箱の連結体は、前記収納箱の複数を連結手段により連結してなる収納箱の連結体であって、前記連結手段が、前記支持体の前記側板が繋がっていない対辺の内側に取り付けられた面ファスナー体と、該面ファスナー体同士が隣接した状態でこれらに掛止される連結面ファスナー体とにより構成されるものである。
さらに、本考案に係る収納箱の連結体は、複数の上面が開口した基体及びこれらの基体に連結される支持体により構成される収納箱の連結体であって、前記複数の基体のそれぞれを、その一対の対向側面及び底面を形成する可撓性シート体と、前記一対の対向側面の外面下側に挿入開口が形成されるように添設され、袋体又は帯体を形成する可撓性シート体と、前記箱体の残りの一対の対向側面を形成する保形性板体とにより構成し、これらの基体の保形性板体からなる側面同士を当接させた状態で連結されるものであり、前記支持体を、前記複数の基体の底面に外側から添う保形性板体である底板と、該底板の前記基体の連結方向の対辺に繋がり該対辺に沿って前記底板に対して相対的に折り曲げ可能であり、前記基体の挿入開口にそれぞれ挿入される保形性板体である側板とにより構成してなるものである。
【００１０】
これらのような収納箱の連結体の構成によれば、前記収納箱としての効果に加え、複数の収納箱により物品を分類して収納することができるとともに、長椅子として使用することができる。
その上、複数の収納箱の連結を容易かつ迅速に行うことができる。
【考案の効果】
【００１１】
以上のように、本考案に係る収納箱及び収納箱の連結体によれば、矩形箱体の側壁に垂直方向に延びる折線を形成しない見栄えの良い構成でありながら、不使用時には折り畳むことができ、使用時には物品を収納することができ、椅子としても使用でき、椅子として使用した際にも不安定になることがないという顕著な効果を奏する。
【図面の簡単な説明】
【００１２】
【図１】本考案の実施の形態に係る収納箱を示す斜視図である。
【図２】蓋体を外した状態を示す斜視図である。
【図３】分解斜視図であり、使用状態に対して上下を逆にして示している。
【図４】蓋体、基体及び支持体のそれぞれを折り畳んだ状態を示す斜視図である。
【図５】上面が開口した矩形箱体からなる収納箱の上下を逆にして椅子として使用する例を示す斜視図である。
【図６】本考案の実施の形態に係る収納箱の連結体を示す分解斜視図であり、使用状態に対して上下を逆にして示している。
【図７】収納箱の複数を連結する連結手段の別構成例を示す分解斜視図であり、使用状態に対して上下を逆にして示している。
【図８】収納箱の連結体の別構成例を示す分解斜視図であり、使用状態に対して上下を逆にして示している。
【図９】収納箱の別構成例を示す分解斜視図であり、使用状態に対して上下を逆にして示している。
【考案を実施するための形態】
【００１３】
次に本考案の実施の形態を添付図面に基づき詳細に説明するが、本考案は、添付図面に示された形態に限定されず実用新案登録請求の範囲に記載の要件を満たす実施形態の全てを含むものである。
なお、本明細書においては、箱体に物品を収納可能な使用状態で上下をいうものとする。
【００１４】
本考案における収納箱は、使用時には物品を収納することができ、椅子としても使用できる収納箱であり、（１）上面が開口した矩形箱体及び該箱体の上面開口を塞ぐように外嵌される蓋体からなるもの（例えば、図１参照。）、並びに、（２）前記蓋体を備えない前記矩形箱体のみからなるもの（例えば、図５参照。）があり、（１）は前記箱体に物品を収納した状態で前記蓋体上に腰掛けて椅子として使用することができ、（２）は前記箱体に物品を収納した状態では椅子として使用することができないが、前記箱体の上下を逆にした状態で椅子として使用することができる。
【００１５】
先ず、上記（１）の収納箱について説明する。
図１及び図２に示すように、収納箱１は、上面が開口した矩形箱体２及び矩形箱体２の上面開口２Ａを塞ぐように外嵌される蓋体３からなり、蓋体３は、椅子として使用する際に座面となる略水平な矩形天板３Ａ並びに天板３Ａの端縁から垂下する対向側板３Ｂ，３Ｂ及び対向側板３Ｃ，３Ｃからなり、天板３Ａ、側板３Ｂ，３Ｂ，３Ｃ，３Ｃは保形性板体Ｐにより形成される。
【００１６】
また、図３に示すように、矩形箱体２は、上面（図３では下面）が開口して使用時に箱状になる基体５及び基体５に連結される支持体７からなる。
さらに、図３に示すように、基体５は、その一対の対向側面１０，１０及び底面１２を形成する可撓性シート体Ｓ，Ｓ，Ｓと、一対の対向側面１０，１０の外面下側（図３では上側）に挿入開口１４，１４が形成されるように添設され、袋体１３，１３を形成する可撓性シート体Ｓ，Ｓと、矩形箱体２の残りの一対の対向側面１１，１１を形成する保形性板体Ｐ，Ｐとにより構成される。
さらにまた、図３に示すように、支持体７は、基体５の底面１２に外側から添う保形性板体Ｐである底板１５と、底板１５の一対辺に繋がり底板１５に対して前記一対辺に沿って相対的に折り曲げ可能な保形性板体Ｐ，Ｐである２枚の側板１７，１７とにより構成される。
【００１７】
ここで、可撓性シート体Ｓは例えば不織布の可撓性シートであり、保形性板体Ｐは例えば厚紙の板体を不織布の可撓性シートで包んだものであるが、可撓性シート体Ｓ及び保形性板体Ｐは、これらの構成に限定されるものではなく、可撓性シート体Ｓは可撓性を有するシートであればよく、保形性板体Ｐは保形性を有するもの（板形状を保つもの）であればよい。
図３に示す基体５及び支持体７の構成により、支持体７の２枚の側板１７，１７を基体５の２箇所の挿入開口１４，１４にそれぞれ挿入して支持体７の側板１７，１７を基体５の可撓性シート体Ｓ，Ｓである側面１０，１０に外側から添わせた状態（可撓性シート体Ｓである袋体１３及び側面１０の間に保形性板体Ｐである側板１７を挿入した状態）で、基体５と支持体７とは一体化され、これらが強固に連結された矩形箱体２（図２参照。）になる。
【００１８】
なお、基体５の側面１０に添設される可撓性シート体Ｓにより、図３に示すポケット状の袋体１３を形成するのではなく、上下に開口が形成されるような帯体を形成するようにしてもよい。
また、図１〜図３に示すように、矩形箱体２の支持体７の保形性板体Ｐである底板１５は、基体５の底面１２の外側（図１及び図２の使用状態で底面１２の下側）に位置しているため、支持体７の底板１５の下面にキャスターを取り付けて使用することができる。
【００１９】
図２の矩形箱体２において、基体５の挿入開口１４，１４から支持体７の側板１７，１７を抜いて基体５と支持体７とを分離した状態（図３参照。）では、基体５は、その側面１０，１０及び袋体１３，１３並びに底面１２が可撓性シート体Ｓ，Ｓ，…で形成されているため、図４に示すように、基体５を折り畳むことができる。
また、支持体７は、その底板１５及び側板１７，１７は保形性板体Ｐ，Ｐ，Ｐで形成されているが、これらが相対的に折り曲げ可能であるため、図４に示すように支持体５を折り畳むことができる。
さらに、蓋体３は、その天板３Ａ及び側板３Ｂ，３Ｂ，３Ｃ，３Ｃは保形性板体Ｐ，Ｐ，…で形成されているが、図４に示すように側板３Ｂ，３Ｂは折線に沿って折り曲げることができるため、図４に示すように蓋体３を折り畳むことができる。
【００２０】
次に、上記（２）の収納箱について説明する。
図５に示す収納箱１は、図１〜図４の収納箱１において蓋体３がないものであり、矩形箱体２の構成は同様のものである。
すなわち、収納箱１である矩形箱体２の上面開口２Ａを上側にした状態（図２の矩形箱体２参照。）では物品を収納することができ、上面開口２Ａを下側にした図５の状態では基体５の底面１２の外側（上側）に位置する支持体７の保形性板体Ｐである底板１５上に腰掛けて椅子として使用することができる。
また、図５の矩形箱体２は図１〜図４の構成と同様のものであるため、基体５と支持体７とを分離した状態で、上述のとおり基体５及び支持体７を折り畳むことができる。
【００２１】
以上のような収納箱１の構成によれば、矩形箱体２の上面開口２Ａから物品を入れて収納することができるとともに、基体５の挿入開口１４，１４から支持体７の側板１７，１７を抜いて基体５と支持体７とを分離することにより、これらをそれぞれ折り畳んでスペース効率を高くして保管、運搬又は輸送することができる。
また、上記（１）の収納箱１、すなわち上面が開口した矩形箱体２及び矩形箱体２の上面開口を塞ぐように外嵌される蓋体３からなる収納箱１では、収納箱１内に物品を収納した状態で蓋体３上に腰掛けて椅子として使用することができ、上記（２）の収納箱１、すなわち蓋体３を備えない矩形箱体２のみからなる収納箱１では、収納物品を取り出して上下を逆にすることにより、支持体７の底板１５上に腰掛けて椅子として使用することができる。
さらに、基体５の挿入開口１４，１４へ支持体７の側板１７，１７を挿入した状態で、基体５と支持体７とが一体化して矩形箱体２となり、矩形箱体２の側壁は基体５又は支持体７の保形性板体Ｐ，Ｐ，…により形成されており、椅子として使用した際に荷重を受け持つ側壁に特許文献１のような垂直方向に延びる折線が形成されていないことから、側壁が変形しにくく矩形箱体２がより強固なものとなるため、椅子として使用した際にも不安定になることがない。
【００２２】
次に、収納箱１の複数を連結手段により連結して構成される収納箱の連結体Ｃの例について説明する。
図６に示す矩形箱体２（基体５及び支持体７）は図１〜図５の構成と同様のものであり、矩形箱体２，２の袋体１３，１３同士が当接した状態で隣接する基体５，５の隣接する挿入開口１４，１４の両方に、支持体７の側板１７，１７の外側に、連結手段１９である折曲げ板体２０を挿入することにより、矩形箱体２，２を容易に連結することができる。
蓋体４は、椅子として使用する際に座面となる略水平な矩形天板４Ａ並びに天板４Ａの端縁から垂下する対向側板４Ｂ，４Ｂ及び対向側板４Ｃ，４Ｃからなり、天板４Ａ、側板４Ｂ，４Ｂ，４Ｃ，４Ｃは保形性板体Ｐにより形成され、連結手段１９により連結された矩形箱体２，２の両方に外嵌される。
なお、連結手段１９として、折曲げ板体２０ではなく、金属又は合成樹脂製のクリップ体（挟み具）を、隣接する基体５，５の隣接する挿入開口１４，１４の両方に挿入するようにしてもよい。
また、収納箱の連結体Ｃは、図６に示すような矩形箱体２の２個を連結して構成するものに限定されず、矩形箱体２の３個以上を連結して構成してもよい。
【００２３】
図７に示す矩形箱体２（基体５及び支持体７）は図１〜図５の構成と同様のものであり、矩形箱体２，２（基体５，５）の袋体１３，１３がない保形性板体Ｐ，Ｐからなる側面１１，１１同士を当接させており、支持体７，７の側板１７，１７が繋がっていない対辺の内側内面に面ファスナー体２１，２１が取り付けられており、面ファスナー体２１，２１同士が隣接した状態でこれらの面ファスナー体２１，２１の両方に連結面ファスナー体２２が掛止され、面ファスナー体２１，２１及び連結面ファスナー体２２が連結手段１９を構成する。
なお、面ファスナー体２１，２１及び連結面ファスナー体２２は、それぞれ掛止面があり、例えば一方をループ面、他方をフック面としてなる一般的な構成のものである。
このような連結手段１９の構成によっても、矩形箱体２，２を容易に連結することができる。
【００２４】
図８に示す基体５，５は図１〜図５の構成と同様のものであり、支持体８の構成は図１〜図５の支持体７と異なっており、基体５，５の袋体１３，１３がない保形性板体Ｐ，Ｐからなる側面１１，１１同士を当接させている。
支持体８は、基体５，５の底面１２，１２に外側から添う保形性板体Ｐである底板１６Ａ，１６Ｂと、底板１６Ａ，１６Ｂの基体５，５の連結方向の対辺に繋がり該対辺に沿って底板１６Ａ，１６Ｂに対して相対的に折り曲げ可能であり、基体５，５の挿入開口１４，１４，…にそれぞれ挿入される保形性板体Ｐ，Ｐ，…である側板１７Ａ，１７Ａ，１７Ｂ，１７Ｂとにより構成される。
なお、底板１６Ａ，１６Ｂは、折線１６Ｃで相対的に折り曲げ可能に構成しているが、底板１６Ａ，１６Ｂは折線１６Ｃがない一体のものであってもよい。
このような構成によっても、基体５，５の挿入開口１４，１４，…に支持体８の側板１７Ａ，１７Ａ，１７Ｂ，１７Ｂを挿入して基体５，５と支持体８を一体化することにより、図７における矩形箱体２，２を連結した構成と同様のものになる。
【００２５】
以上のような収納箱の連結体Ｃの構成によれば、複数の収納箱により物品を分類して収納することができるとともに、長椅子として使用することができる。
また、複数の収納箱１，１，…（矩形箱体２，２，…）の連結を容易かつ迅速に行うことができる。
なお、収納箱の連結体Ｃの形状は、複数の収納箱１，１，…が直線的に連結された構成に限定されるものではなく、平面視において例えば十字状又はコ字状のもの等であってもよい。
【００２６】
以上の説明における矩形箱体２を構成する基体５では、その側面１１，１１を保形性板体Ｐ，Ｐとしていたが、図９に示すように、矩形箱体２を構成する基体６を、保形性板体Ｐを用いずに可撓性シート体Ｓのみで形成してもよい。
すなわち、基体６は、その二対の対向側面１０，１０及び１１，１１並びに底面１２を形成する可撓性シート体Ｓ，Ｓ，…と、側面４面１０，１０，１１，１１の全てに、該側面の外面下側（図９では上側）に挿入開口１４，１４，…が形成されるように添設された、袋体１３，１３，…を形成する可撓性シート体Ｓ，Ｓ，…とにより構成される。
また、支持体９は、基体６の底面１２に外側から添う保形性板体Ｐである底板１５と、底板１５の二対辺に繋がり底板１５に対して前記二対辺に沿って相対的に折り曲げ可能な保形性板体Ｐ，Ｐ，…である４枚の側板１７，１７，１８，１８とにより構成される。
【００２７】
このような基体６及び支持体９の構成によっても、支持体９の４枚の側板１７，１７，１８，１８を基体６の４箇所の挿入開口１４，１４，…にそれぞれ挿入して支持体９の側板１７，１７を基体６の可撓性シート体Ｓ，Ｓである側面１０，１０に外側から添わせ、支持体９の側板１８，１８を基体６の可撓性シート体Ｓ，Ｓである側面１１，１１に外側から添わせた状態（可撓性シート体Ｓである袋体１３及び側面１０又は１１の間に保形性板体Ｐである側板１７又は１８を挿入した状態）で、基体６と支持体９とは一体化され、これらが強固に連結された矩形箱体２を形成することができる。
【符号の説明】
【００２８】
Ｃ  収納箱の連結体
Ｓ  可撓性シート体
Ｐ  保形性板体
１  収納箱
２  矩形箱体
２Ａ  上面開口
３，４  蓋体
３Ａ，４Ａ  天板
３Ｂ，３Ｃ，４Ｂ，４Ｃ  側板
５，６  基体
７，８，９  支持体
１０，１１  対向側面
１２  底面
１３  袋体
１４  挿入開口
１５，１６Ａ，１６Ｂ  底板
１６Ｃ  折線
１７，１７Ａ，１７Ｂ，１８  側板
１９  連結手段
２０  折曲げ板体
２１  面ファスナー体
２２  連結面ファスナー体
【図１】
0003157991.tif 000003
【図２】
0003157991.tif 000004
【図３】
0003157991.tif 000005
【図４】
0003157991.tif 000006
【図５】
0003157991.tif 000007
【図６】
0003157991.tif 000008
【図７】
0003157991.tif 000009
【図８】
0003157991.tif 000010
【図９】
0003157991.tif 000011
【手続補正書】
【提出日】平成21年12月25日(2009.12.25)
【手続補正１】
【補正対象書類名】実用新案登録請求の範囲
【補正対象項目名】請求項６
【補正方法】変更
【補正の内容】
【請求項６】
複数の上面が開口した基体及びこれらの基体に連結される支持体により構成される収納箱の連結体であって、
前記複数の基体のそれぞれを、その一対の対向側面及び底面を形成する可撓性シート体と、前記一対の対向側面の外面下側に挿入開口が形成されるように添設され、袋体又は帯体を形成する可撓性シート体と、前記基体の残りの一対の対向側面を形成する保形性板体とにより構成し、これらの基体の保形性板体からなる側面同士を当接させた状態で連結されるものであり、前記支持体を、前記複数の基体の底面に外側から添う保形性板体である底板と、該底板の前記基体の連結方向の対辺に繋がり該対辺に沿って前記底板に対して相対的に折り曲げ可能であり、前記基体の挿入開口にそれぞれ挿入される保形性板体である側板とにより構成してなる収納箱の連結体。
【手続補正２】
【補正対象書類名】明細書
【補正対象項目名】０００９
【補正方法】変更
【補正の内容】
【０００９】
本考案に係る収納箱の連結体は、前記収納箱の複数を連結手段により連結してなるものである。
ここで、前記連結手段が、前記袋体同士が当接した状態で隣接する基体の隣接する挿入開口の両方に挿入される折曲げ板体又はクリップ体であると好ましい。
また、本考案に係る収納箱の連結体は、前記収納箱の複数を連結手段により連結してなる収納箱の連結体であって、前記連結手段が、前記支持体の前記側板が繋がっていない対辺の内側に取り付けられた面ファスナー体と、該面ファスナー体同士が隣接した状態でこれらに掛止される連結面ファスナー体とにより構成されるものである。
さらに、本考案に係る収納箱の連結体は、複数の上面が開口した基体及びこれらの基体に連結される支持体により構成される収納箱の連結体であって、前記複数の基体のそれぞれを、その一対の対向側面及び底面を形成する可撓性シート体と、前記一対の対向側面の外面下側に挿入開口が形成されるように添設され、袋体又は帯体を形成する可撓性シート体と、前記基体の残りの一対の対向側面を形成する保形性板体とにより構成し、これらの基体の保形性板体からなる側面同士を当接させた状態で連結されるものであり、前記支持体を、前記複数の基体の底面に外側から添う保形性板体である底板と、該底板の前記基体の連結方向の対辺に繋がり該対辺に沿って前記底板に対して相対的に折り曲げ可能であり、前記基体の挿入開口にそれぞれ挿入される保形性板体である側板とにより構成してなるものである。